(57)【要約】【課題】イーサネットアダプターを提供する。【解決手段】本発明は、厚さが薄いイーサネットアダプターを提供し、上蓋と下蓋を組み合わせてなる箱体、メスジョイントと回路板からなる。上蓋の側壁上は、締結部を有する上ノッチと内面に設置された一組の上制限リブを設置する。下蓋の側壁上は、底端側に定位ブロックを有する下ノッチを設置し、下蓋内面は、一組の下制限リブを設置する。上、下ノッチと上、下制限リブが開口槽を構成する。開口槽内に設置されたメスジョイントは、Ｌ形本体を含み、底部は、定位ブロックに対応する一組の定位嵌槽を設置し、直立部の外端面方向の側壁は制限部を設置し、内端に向かって、開口槽から箱体内に延伸して、ハウジング内に設置された回路板と連接する。【選択図】図３
2012064554.tif 000002
【特許請求の範囲】
【請求項１】
オスジョイントと連接するイーサネットアダプターであって、
側壁上に上ノッチを設置し、内面は前記上ノッチ両側に位置する一組の上制限リブを設置し、前記上ノッチは一締結部を形成して前記オスジョイントの結合素子と結合する、上蓋と、
前記上蓋と箱体を形成し、側壁上に下ノッチを設置し、前記下ノッチの底端両側にそれぞれ定位ブロックを設置し、内面は前記下ノッチ両側に位置する一組の下制限リブを設置し、前記上ノッチ、前記下ノッチ、前記上制限リブ及び前記下制限リブが、外部と内部が連通した開口槽を構成する、下蓋と、
前記開口槽内に収容されＬ形の本体と前記Ｌ形本体上に設置された一組の端子からなり、前記本体の底部は前記定位ブロックに対応する一組の定位嵌槽を設置し、前記本体の直立部の外端面方向の側壁は制限部を設置し、それぞれ前記上制限リブ、及び前記下制限リブと抵接し、前記本体の直立部は内端に向かって前記開口槽から箱体内に延伸する、メスジョイントと、
前記ハウジング内に設置され前記本体の直立部と内端方向で連接する、回路板と、
からなることを特徴とするイーサネットアダプター。
【請求項２】
前記本体の直立部は、更に槽口を有し、前記オスジョイントの前端凸出部を収容することを特徴とする請求項１に記載のイーサネットアダプター。
【請求項３】
前記メスジョイントと前記オスジョイントの規格は、ＲＪ４５であることを特徴とする請求項１に記載のイーサネットアダプター。
【請求項４】
前記上蓋と前記下蓋の周縁は、対応する係合素子を有し、前記上蓋と前記下蓋をしっかりと結合することを特徴とする請求項１に記載のイーサネットアダプター。
【発明の詳細な説明】
【技術分野】
【０００１】
本発明は、イーサネットアダプターに関するものであって、特に、薄く、且つ、コンパクトなイーサネットアダプターに関するものである。
【背景技術】
【０００２】
現在のイーサネット信号は、ＲＪ４５規格のオスジョイントネットワークケーブルにより、イーサネットアダプターの信号を、最遠１００メートルのもう一つのネットワーク設備に伝送する。
【０００３】
図１は、現在のイーサネットアダプター構造を示す図である。
図のように、現在のイーサネットアダプター１０は、本体１２と、本体１２内に設置された回路板１４と、本体１２上に設置され、図１の（ａ）で示される基準ＲＪ４５ネットワークケーブルメスジョイント１８を収容する四角形スロット１６と、からなる。ＲＪ４５ネットワークケーブルメスジョイント１８は、四角形スロット１６に対応する四角形ハウジング２０と、ハウジング２０内に設置された階段状の開口槽２２とこの開口槽２２内に設置された一組の端子２４と、からなり、図１で示されるように、ＲＪ４５オスジョイント２６を開口槽２２内に固定すると共に、端子２４により、回路板１４と電気的に接続する。
【発明の概要】
【発明が解決しようとする課題】
【０００４】
しかし、このような構造下のイーサネットアダプター１０は、ＲＪ４５ネットワークケーブルメスジョイント１８と本体１２構造の要素下で、全体の厚さａを薄くすることができない。
【０００５】
よって、上述の問題を解決するため、新規のイーサネットアダプターを提供することが必要である。
【０００６】
本発明は、イーサネットアダプターを提供し、箱体により公知のメスジョイントの部分構造を代替して、効果的にイーサネットアダプターの厚さを減少させることを目的とする。
【課題を解決するための手段】
【０００７】
上述の目的を達成するため、本発明は、オスジョイントと連接するイーサネットアダプターを提供し、主に、上蓋と下蓋を組み合わせてなる箱体、メスジョイントと回路板からなる。
上述の上蓋の側壁上は、上ノッチを設置し、且つ、内面は、上ノッチ両側に位置する一組の上制限リブを設置し、上ノッチは一締結部を形成して、オスジョイントの結合素子と結合する。上述の下蓋の側壁上は、下ノッチを設置し、その底端両側に、それぞれ、定位ブロックを設置し、下蓋内面は、下ノッチ両側に位置する一組の下制限リブを設置する。上述の上ノッチ、下ノッチ、上制限リブと下制限リブは、外部と内部が連通した開口槽を構成して、メスジョイントを収容する。メスジョイントは、Ｌ形の本体とＬ形本体上に設置された一組の端子からなり、本体の底部は、定位ブロックに対応する一組の定位嵌槽を設置し、本体の直立部の外端面方向の側壁は、制限部を設置し、それぞれ、上制限リブ、及び、下制限リブと抵接し、本体の直立部は、内端に向かって、開口槽から箱体内に延伸して、ハウジング内に設置された回路板と連接する。
【０００８】
すなわち本願の第１発明は、オスジョイントと連接するイーサネットアダプターであって、側壁上に上ノッチを設置し、内面は前記上ノッチ両側に位置する一組の上制限リブを設置し、前記上ノッチは一締結部を形成して前記オスジョイントの結合素子と結合する、上蓋と、前記上蓋と箱体を形成し、側壁上に下ノッチを設置し、前記下ノッチの底端両側にそれぞれ定位ブロックを設置し、内面は前記下ノッチ両側に位置する一組の下制限リブを設置し、前記上ノッチ、前記下ノッチ、前記上制限リブ及び前記下制限リブが、外部と内部が連通した開口槽を構成する、下蓋と、前記開口槽内に収容されＬ形の本体と前記Ｌ形本体上に設置された一組の端子からなり、前記本体の底部は前記定位ブロックに対応する一組の定位嵌槽を設置し、前記本体の直立部の外端面方向の側壁は制限部を設置し、それぞれ前記上制限リブ、及び前記下制限リブと抵接し、前記本体の直立部は内端に向かって前記開口槽から箱体内に延伸する、メスジョイントと、前記ハウジング内に設置され前記本体の直立部と内端方向で連接する、回路板と、からなることを特徴とするイーサネットアダプターを提供するものである。
また、本願の第２発明は、前記本体の直立部は、更に槽口を有し、前記オスジョイントの前端凸出部を収容することを特徴とする前記第１発明に記載のイーサネットアダプターを提供するものである。
また、本願の第３発明は、前記メスジョイントと前記オスジョイントの規格は、ＲＪ４５であることを特徴とする前記第１発明に記載のイーサネットアダプターを提供するものである。
また、本願の第４発明は、前記上蓋と前記下蓋の周縁は、対応する係合素子を有し、前記上蓋と前記下蓋をしっかりと結合することを特徴とする前記第１発明に記載のイーサネットアダプターを提供するものである。
【発明の効果】
【０００９】
本発明によれば、薄く、コンパクトなイーサネットアダプタが提供される。
【００１０】
本発明は、公知とオスジョイントと連接するイーサネットアダプターが薄くできない欠点に対し、新規のイーサネットアダプター構造を提供し、公知の四角形メスジョイントの部分構造を箱体上に転移して、全体の厚さを減少させ、コンパクトにする。
【図面の簡単な説明】
【００１１】
【図１】公知のイーサネットアダプターの構造図であり、（ａ）は公知のメスジョイントの構造図である。
【図２】本発明の立体図である。
【図３】本発明の素子分解図である。
【図４】本発明の透視図である。
【図５】本発明のイーサネットアダプターとオスジョイント接合時の状態図である。
【図６】本発明の図４のｃｃ’に沿った断面図である。
【発明を実施するための形態】
【００１２】
以下の本発明の実施例中で開示されるオスジョイントは既知の技術であり、よって、オスジョイントの構造に関する説明は省略し、本発明との相関部分だけ説明する。
【００１３】
図２〜図６は、それぞれ、本発明の立体図、素子分解図、透視図、本発明のイーサネットアダプターとオスジョイント接合時の状態図、及び、図４のｃｃ’線に沿った断面図である。
【００１４】
図のように、本発明のイーサネットアダプター３０は、主に、箱体３２、メスジョイント３４と回路板３６からなる。箱体３２は、上蓋３８と下蓋４０を組み合わせてなる。上蓋３８の側壁上は上ノッチ４２を設置し、内面は、上ノッチ４２両側に位置する一組の上制限リブ４４を設置し、上ノッチ４２は、更に、締結部４６を形成して、オスジョイント４８の結合素子５０と結合する。
【００１５】
下蓋４０の側壁上は、下ノッチ５２を設置し、下蓋４０内面は、下ノッチ５２両側に位置する一組の下制限リブ５４を設置し、下ノッチ５２の底端両側は、定位ブロック５６を設置する。上ノッチ４２、下ノッチ５２、上制限リブ４４と下制限リブ５４は、外部と内部が連通する開口槽５８を構成する。
【００１６】
メスジョイント３４は開口槽５８内に設置され、メスジョイント３４はＬ形の本体６０、及び、Ｌ形本体６０に位置し、且つ、両端が露出した一組の端子６２を有し、本体６０の底部は、定位ブロック５６に対応する一組の定位嵌槽６４を設置する。本体６０の直立部６５は、外端面方向の側壁に制限部６６を設置し、それぞれ、上制限リブ４４、及び、下制限リブ５４と抵接する。本体６０の直立部６５は、内端向かって、開口槽５８から箱体３２内に延伸する。上述の端子６２の設置は、公知のＲＪ４５メスジョイントの端子の設置と同じである。ここで、本発明のメスジョイント３０とオスジョイント５０の規格は、ＲＪ４５である。
【００１７】
回路板３６は箱体３２内に設置され、端子６２の一端は、開口槽５８から箱体３２内に延伸する本体６０の直立部６５底端が回路板３６と接触することにより、端子６２と回路板３６の電気的接続を達成する。
【００１８】
この他、図６で示されるように、本体６０の直立部６５は、更に、槽口６８を有し、オスジョイント４８の結合素子５０の前端凸出部７０を収容する。この他、上蓋３８と下蓋４０の周縁は、対応する係合素子７２、７４を有し、図３で示される上蓋３８と下蓋４０をしっかりと結合する。
【００１９】
本発明のイーサネットアダプター３０は、上ノッチ４２、下ノッチ５２、上制限リブ４４と下制限リブ５４で構成される外部と内部を連通する開口槽５８、及び、下ノッチ５２の底端両側に設置された定位ブロック５６により、メスジョイント３４を固定し、上ノッチ４２に設置された締結部４６とオスジョイント４８の結合素子５０の結合により、オスジョイント４８とメスジョイント３４がしっかりと結合して、緩まない。
【００２０】
本発明は、箱体を利用して、オスジョイントの結合素子に必要な締結部を形成すると共に、定位ブロックを利用して、メスジョイントを開口槽に固定し、イーサネットアダプターの厚さｂを大幅に減少させて、コンパクトにする。
【００２１】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００２２】
１０  イーサネットアダプタ
１２  本体
１４  回路板
１６  スロット
１８  メスジョイント
２０  ハウジング
２２  開口槽
２４  端子
２６  オスジョイント
ａ    厚さ
３０  イーサネットアダプタ  
３２  箱体
３４  メスジョイント  
３６  回路板
３８  上蓋
４０  下蓋
４２  上ノッチ
４４  上制限リブ
４６  締結部
４８  オスジョイント
５０  結合素子
５２  下ノッチ
５４  下制限リブ
５６  定位ブロック
５８  開口槽
６０  Ｌ形本体
６２  端子
６４  定位嵌槽
６５  直立部
６６  制限部
６８  槽口
７０  前端凸出部
７２  係合素子
７４  係合素子
ｂ    厚さ
【図１】
2012064554.tif 000003
【図２】
2012064554.tif 000004
【図３】
2012064554.tif 000005
【図４】
2012064554.tif 000006
【図５】
2012064554.tif 000007
【図６】
2012064554.tif 000008